(57)【特許請求の範囲】
【請求項１】
バルコニー手摺壁取付用の外壁パネルユニットであって、
外壁パネルの外表面のバルコニー手摺壁を取り付ける部位に、前記バルコニー手摺壁の端面を接続するための角材による結合材を接合一体化して備え、
前記外壁パネルの外表面には、前記結合材の外表面を除いて、サイディングが取り付けられていて、このサイディングよりも前記結合材が突出していると共に、
前記外壁パネルの外表面には、前記結合材の外表面を除いて、防水シートが貼り付けられて前記結合材よりも延出していること、
を特徴とする外壁パネルユニット。
【請求項２】
前記結合材の上部周りには、前記防水シートに重ねて第２の防水シートが貼り付けられて前記結合材よりも延出していること、
を特徴とする請求項１記載の外壁パネルユニット。
【請求項３】
外壁に対するバルコニー手摺壁の接続構造であって、
請求項１または２記載の外壁パネルユニットに接合一体化して備えた前記結合材の外表面に、バルコニー手摺壁の端面を結合して一体化したこと、
を特徴とする外壁に対するバルコニー手摺壁の接続構造。
【請求項４】
外壁に対するバルコニー手摺壁の接続構造であって、
請求項１または２記載の外壁パネルユニットに接合一体化して備えた前記結合材の外表面に、バルコニー手摺壁の端面を結合して一体化すると共に、
前記外壁パネルの外表面に貼り付けられて前記結合材よりも延出している前記防水シートと、前記バルコニー手摺壁の表面に貼り付けられる防水シートとを、互いに重ねて防水テープで貼り合わせたこと、
を特徴とする外壁に対するバルコニー手摺壁の接続構造。
【発明の詳細な説明】
【０００１】
【発明の属する技術分野】
本発明は、バルコニー手摺壁取付用の外壁パネルユニットと、その外壁パネルユニットによる外壁に対するバルコニー手摺壁の接続構造に関するものである。
【０００２】
【背景の技術】
住宅の工業化に伴って、住宅の屋根や壁や床を予めパネルとして工場で製造し、このようなパネルを、建築現場において組み立てて行くことにより、住宅の施工を行うようにしたパネル工法が近年盛んとなっている。
そして、工業化をさらに進めるために、複数のパネルを予め工場で組み立ててサブアッシー状態としておき、このような複数のパネルのサブアッシー品を建築現場で組み立てて行って、現場での工期を一層短縮するようにした技術もさらに盛んになってきている。
さらに、工場において、木質系の壁パネルの外壁面に予めサイディングを取り付けて製造し、建築現場で組み立てることにより、現場工期をより一層短縮する技術も行われている。
【０００３】
【発明が解決しようとする課題】
ところで、バルコニーの施工に際して、腰壁パネルによるバルコニー手摺壁を外壁に接続する場合、例えば、その外壁がサイディング付き壁パネルユニットであると、予めサイディングにバルコニー手摺壁取付用の開口を形成しておかなければならない。
そして、壁パネルには防水シートが貼られていることから、その防水シートにも予め開口を設けておいて、その開口から露出する壁パネル表面にバルコニー手摺壁を直接取り付ける必要がある。
しかし、そのようなサイディングの開口および防水パネルの開口から壁パネル表面に対しバルコニー手摺壁を位置決めして接続するのは容易ではなく、従って、特に、サイディング付き壁パネルユニットによる外壁に対するバルコニー手摺壁の位置決め接続の容易化の実現が望まれる。
【０００４】
そこで、本発明の目的は、外壁に対するバルコニー手摺壁の位置決め接続が容易に行えて、特に、サイディング付き壁パネルユニットによる外壁に対するバルコニー手摺壁の位置決め接続の容易化を実現できるようにした外壁パネルユニットを提供することにある。
そして、本発明は、そのような外壁パネルユニットによる外壁に対するバルコニー手摺壁の接続構造を提供することも目的としている。
【０００５】
【課題を解決するための手段】
以上の課題を解決すべく請求項１記載の発明は、例えば、図１に示すように、
バルコニー手摺壁１１取付用の外壁パネルユニット１であって、
外壁パネル２の外表面の、例えば、腰壁パネル１２等によるバルコニー手摺壁１１を取り付ける部位に、前記バルコニー手摺壁１１の端面を接続するための角材、例えば、半割材等による結合材３を接合一体化して備え、
前記外壁パネル２の外表面には、前記結合材３の外表面を除いて、胴縁を介する等してサイディング７が取り付けられていて、このサイディング７よりも前記結合材３が突出していると共に、
前記外壁パネル２の外表面には、前記結合材３の外表面を除いて、防水シート４が貼り付けられて前記結合材３よりも延出している構成、
を特徴としている。
このように、外壁パネル２の外表面に角材によるバルコニー手摺壁１１取付用の結合材３を接合一体化して備えた外壁パネルユニット１なので、結合材３にバルコニー手摺壁１１の端面を結合することにより、外壁に対する位置決めを正確に行いながらバルコニー手摺壁１１の接続が容易に行えるようになる。
また、サイディング７よりも突出してバルコニー手摺壁１１取付用の結合材３を備える外壁パネルユニット１なので、サイディング７の外側において、その突出した結合材３にバルコニー手摺壁１１の端面を結合することにより、サイディング７付き壁パネルユニット１による外壁に対する位置決めを正確に行いながらバルコニー手摺壁１１の接続の容易化が実現できるようになる。
さらに、防水シート４が結合材３よりも延出しているので、例えば、図２に示すように、
バルコニー手摺壁１１の表面に貼り付けられる防水シート１４との重ね合わせが行えて、防水処理が容易に行えるようになる。
【０００８】
さらに、請求項２記載の発明は、請求項１記載の外壁パネルユニット１であって、例えば、図１に示すように、
前記結合材３の上部周りには、前記防水シート４、例えば、防水透湿シート等に重ねて第２の防水シート５が貼り付けられて前記結合材３よりも延出している構成、
を特徴としている。
このように、結合材３の上部周りに第２の防水シート５が貼り付けられて結合材３よりも延出しているので、バルコニー手摺壁１１との接合部における上部の防水処理がより確実に行えるようになる。
【０００９】
また、請求項３記載の発明は、外壁に対するバルコニー手摺壁１１の接続構造であって、例えば、図１に示すように、
請求項１または２記載の外壁パネルユニット１に接合一体化して備えた半割材等の角材による前記結合材３の外表面に、腰壁パネル１２等によるバルコニー手摺壁１１の端面を結合して一体化した構成、
を特徴としている。
【００１０】
このように、外壁パネルユニット１に接合一体化して備えた角材による結合材３の外表面に、バルコニー手摺壁１１の端面を結合して一体化した接続構造なので、結合材３にバルコニー手摺壁１１の端面を結合することにより、外壁に対する位置決めを正確に行いながらバルコニー手摺壁１１の接続が容易に行える。
特に、サイディング７の外側において、突出した結合材３にバルコニー手摺壁１１の端面を結合することによって、サイディング７付き壁パネルユニット１による外壁に対する位置決めを正確に行いながらバルコニー手摺壁１１の接続の容易化が実現できる。
また、防水シート４が結合材３よりも延出していると、例えば、図２に示すように、
バルコニー手摺壁１１の表面に貼り付けられる防水シート１４との重ね合わせが行えて、防水処理が容易に行える。
さらに、図１に示したように、
結合材３の上部周りに第２の防水シート５が貼り付けられて結合材３よりも延出していると、バルコニー手摺壁１１との接合部における上部の防水処理がより確実に行える。
【００１１】
そして、請求項４記載の発明は、外壁に対するバルコニー手摺壁１１の接続構造であって、例えば、図２に示すように、
請求項１または２記載の外壁パネルユニット１に接合一体化して備えた半割材等の角材による前記結合材３の外表面に、腰壁パネル１２等によるバルコニー手摺壁１１の端面を結合して一体化すると共に、
前記外壁パネル２の外表面に貼り付けられて前記結合材３よりも延出している前記防水シート４と、前記バルコニー手摺壁１１の表面に貼り付けられる防水シート１４とを、互いに重ねて防水テープ１５で貼り合わせた構成、
を特徴としている。
【００１２】
このように、外壁パネルユニット１のサイディング７よりも突出した結合材３の外表面に、バルコニー手摺壁１１の端面を結合して一体化した接続構造なので、サイディング７の外側において、その突出した結合材３にバルコニー手摺壁１１の端面を結合することによって、サイディング７付き壁パネルユニット１による外壁に対する位置決めを正確に行いながらバルコニー手摺壁１１の接続の容易化が実現できる。
そして、外壁パネル２の外表面に貼り付けられて結合材３よりも延出している防水シート４と、バルコニー手摺壁１１の表面に貼り付けられる防水シート１４とを、互いに重ねて防水テープ１５で貼り合わせることによって、容易かつ確実に防水処理できる。
さらに、図１に示したように、
結合材３の上部周りに第２の防水シート５が貼り付けられて結合材３よりも延出していると、バルコニー手摺壁１１との接合部における上部の防水処理がより確実に行える。
【００１３】
【発明の実施の形態】
以下に、本発明に係る外壁パネルユニットおよび外壁に対するバルコニー手摺壁の接続構造の実施の形態例を図１および図２に基づいて説明する。
先ず、図１は本発明を適用した一例としてのサイディング付き外壁パネルユニットに対するバルコニー手摺壁の接続状態を示す要部概略斜視図で、図２はその接続部分を示した横断平面図である。
これらの図１および図２において、１は外壁パネルユニット、２は外壁パネル、３は結合材、４は防水シート（防水透湿シート）、５は第２の防水シート（止水プレート）、６は防水テープ、７はサイディング、１１はバルコニー手摺壁、１２は腰壁パネル、１３は笠木、１４は防水シート、１５は防水テープである。
【００１４】
即ち、外壁パネルユニット１は、図示のように、左右２枚の外壁パネル２，２を互いに端面で接合一体化したもので、その外壁パネル２は、表裏の合板による面材２ａ，２ａの間に、角材による枠部を含む縦横の芯材２ｂ，２ｂ，…を介装して接合一体化してなる、例えば、厚さ９０ｍｍのものである。
そして、この実施の形態例では、図示のように、左右の外壁パネル２，２の接合部に沿って、バルコニー手摺壁取付用の結合材３を接合一体化している。
この結合材３は、例えば、９０ｍｍ角の角材の半割材によるもので、予めバルコニー手摺壁取付部位に合わせて接着および釘打ちにより左右の外壁パネル２，２の接合部に沿って取り付けてある。
【００１５】
このようなバルコニー手摺壁取付用の結合材３を接合一体化して備える左右の外壁パネル２，２の外表面には、外部側から内部側への防水機能と内部側から湿気を外部側に通す防水シートである防水透湿シート４が貼り付けられている。
この防水透湿シート４は、結合材３の部分を除いて外壁パネル２，２の外表面に接着により貼り付けておいて、結合材３の両側部に沿った部分から所定長さ延出する延出部分４ａ，４ａを有している。
さらに、結合材３の上部周りには、図１に示すように、第２の防水シート５が貼り付けられている。
この第２の防水シート５は、結合材３の上部周りを覆うようにして、既に外壁パネル２，２の外表面に貼り付けられた防水透湿シート４に重ねて防水テープ６により貼り付けてある。この第２の防水シート５も、結合材３から所定長さ延出している。
【００１６】
そして、防水シート４の上からは、図示しない胴縁を外壁パネル２，２の適宜箇所に釘打ちして取り付けておき、その胴縁に対し左右のサイディング７，７を釘打ちしてそれぞれ取り付けておく。
この左右のサイディング７，７は、その側縁部に沿って予め結合材３の周囲を囲むように切欠部７ａ，７ａがそれぞれ形成されていて、これら切欠部７ａ，７ａにより形成される開口から、図示のように、結合材３が外部に突出している。
このようなサイディング７付きでその切欠部７ａ，７ａによる開口からバルコニー手摺壁取付用の結合材３を外部に突出して備える外壁パネルユニット１は、工場において、組み立てて製造される。
【００１７】
以上の外壁パネルユニット１を現場で施工した後、例えば、ルーフバルコニー等のバルコニー手摺壁１１を接続する場合は、次のようにして行う。
ここで、バルコニー手摺壁１１は、腰壁パネル１２の上端面に沿って笠木１３を接合一体化してなるもので、その腰壁パネル１２は、表裏の合板による面材１２ａ，１２ａの間に、角材による枠部を含む縦横の芯材１２ｂ，１２ｂ，…を介装して接合一体化してなる厚さ９０ｍｍのものである。
このように腰壁パネル１２の上端面に沿って笠木１３を接合一体化して備えるバルコニー手摺壁１１の端面を、外壁パネルユニット１のサイディング７から外部に突出している結合材３の外表面に当てて、接着および釘打ちにより互いに結合して一体化する。
【００１８】
そして、防水処理を行う。
即ち、バルコニー手摺壁１１の腰壁パネル１２および笠木１３を含む全表面に防水シート１４を貼り付ける。
この時、その防水シート１４は、図２に示すように、外壁パネルユニット１のサイディング７から外部に突出している防水透湿シート４の結合材３の両側部に沿った部分からの延出部分４ａ，４ａの内側に、端部１４ａを入れて重ね、その延出部分４ａ，４ａと防水シート１４とを防水テープ１５により貼り合わせる。
なお、図示しないが、結合材３の上部周りに設けた第２の防水シート５についても、その内側にバルコニー手摺壁１１に貼り付けた防水シート１４を入れて重ね、同様に防水テープにより貼り合わせる。
その後、図示しないが、防水シート１４の上から胴縁を腰壁パネル１２および笠木１３の適宜箇所に釘打ちして取り付けてから、その胴縁に対しサイディングを釘打ちしてそれぞれ取り付ける。
【００１９】
以上の通り、本発明による外壁パネルユニット１を用いた外壁に対するバルコニー手摺壁１１の接続構造によると、以下に列挙する効果が得られる。
（１）外壁パネルユニット１のサイディング７よりも突出した結合材３の外表面に、バルコニー手摺壁１１の端面を結合して一体化するため、サイディング７付きの外壁パネルユニット１による外壁に対し、結合材３の存在により正確に位置決めしながらバルコニー手摺壁１１を容易に接続できる。
（２）外壁パネル２外表面の防水シート４の結合材３よりも延出した延出部分４ａと、バルコニー手摺壁１１表面の防水シート１４の端部１４ａとを、互いに重ねて防水テープ１５で貼り合わせるため、容易かつ確実に防水処理できる。
（３）結合材３よりも延出する第２の防水シート５を結合材３の上部周りに設けたため、この第２の防水シート５の存在によって、バルコニー手摺壁１１との接合部における上部をより確実に防水処理できる。
【００２０】
なお、以上の実施の形態例においては、断面正方形の角材の半割材による結合材としたが、本発明はこれに限定されるものではなく、断面正方形の角材による結合材であってもよい。
また、壁パネルや結合材等の材料の各種寸法等も任意であり、その他、具体的な細部構造等についても適宜に変更可能であることは勿論である。
【００２１】
【発明の効果】
以上のように、請求項１記載の発明に係る外壁パネルユニットによれば、その外表面にバルコニー手摺壁取付用の結合材を接合一体化して備えるため、結合材にバルコニー手摺壁の端面を結合することで、外壁に対してバルコニー手摺壁を正確に位置決めして容易に接続できるようになる。
また、サイディングよりも突出してバルコニー手摺壁取付用の結合材を備えるため、サイディングの外側において、その突出した結合材にバルコニー手摺壁の端面を結合することで、サイディング付き壁パネルユニットによる外壁に対するバルコニー手摺壁の正確な位置決めによる接続の容易化を実現できるようになる。
さらに、防水シートが結合材よりも延出しているため、バルコニー手摺壁の表面に貼り付けられる防水シートと重ね合わせて、容易に防水処理できるようになる。
【００２３】
そして、請求項２記載の発明に係る外壁パネルユニットによれば、結合材の上部周りに設けた第２の防水シートが結合材よりも延出しているため、バルコニー手摺壁との接合部における上部をより確実に防水処理できるようになる。
【００２４】
また、請求項３記載の発明に係る外壁に対するバルコニー手摺壁の接続構造によれば、外壁パネルユニットに備えた結合材の外表面に、バルコニー手摺壁の端面を結合して一体化するため、外壁に対してバルコニー手摺壁を正確に位置決めして容易に接続することができる。
特に、サイディングの外側において、突出した結合材にバルコニー手摺壁の端面を結合すれば、サイディング付き壁パネルユニットによる外壁に対するバルコニー手摺壁の正確な位置決めによる接続の容易化を実現することができる。
また、防水シートが結合材よりも延出していれば、バルコニー手摺壁の表面に貼り付けられる防水シートと重ね合わせて、容易に防水処理することができる。
さらに、結合材の上部周りに設ける第２の防水シートが結合材よりも延出していれば、バルコニー手摺壁との接合部における上部をより確実に防水処理することができる。
【００２５】
そして、請求項４記載の発明に係る外壁に対するバルコニー手摺壁の接続構造によれば、外壁パネルユニットのサイディングよりも突出した結合材の外表面に、バルコニー手摺壁の端面を結合して一体化するため、サイディング付き壁パネルユニットによる外壁に対するバルコニー手摺壁の正確な位置決めによる接続の容易化を実現することができる。
さらに、外壁パネルの外表面に貼り付けられて結合材よりも延出している防水シートと、バルコニー手摺壁の表面に貼り付けられる防水シートとを、互いに重ねて防水テープで貼り合わせるため、容易かつ確実に防水処理することができる。
また、結合材の上部周りに設ける第２の防水シートが結合材よりも延出していれば、バルコニー手摺壁との接合部における上部をより確実に防水処理することができる。
【図面の簡単な説明】
【図１】本発明を適用した一例としてのサイディング付き外壁パネルユニットに対するバルコニー手摺壁の接続状態を示す要部概略斜視図である。
【図２】図１の外壁パネルユニットに対するバルコニー手摺壁の接続部分を示した横断平面図である。
【符号の説明】
１  外壁パネルユニット
２  外壁パネル
３  結合材
４  防水シート（防水透湿シート）
５  第２の防水シート（止水プレート）
６  防水テープ
７  サイディング
１１  バルコニー手摺壁
１２  腰壁パネル
１３  笠木
１４  防水シート
１５  防水テープ
【図１】
0003655370.tif 000002
【図２】
0003655370.tif 000003